(57)【特許請求の範囲】
【請求項１】
水溶性フィルム上に転写インクを塗布して成る転写フィルムを水槽内の水面上に浮遊させ、その上方から被転写体を押し付け、水圧によって被転写体表面に転写インクを印刷する方法において、前記転写フィルムに粘着性を与え、転写可能とする活性剤の可塑剤成分としてＤＭＰ（フタル酸ジメチル）またはＤＥＰ（フタル酸ジエチル）を使用し、転写後主にこれらの可塑剤成分を蒸発させる揮散促進乾燥を行うことを特徴とする高温密閉雰囲気下で使用される部材に適した曲面印刷方法。
【請求項２】
光源たるバルブと、バルブから照射された光の一部をカットするシェードと、バルブから発した光を反射させるリフレクタと、リフレクタの後方に配されるランプボディーと、ランプボディーの前全面を密閉状に覆うレンズと、レンズとランプボディーとの間に発光部の正面投影形状とほぼ同じ形状の開口部を有するエクステンションとを具えて成るランプユニットにおいて、
前記エクステンションには、水圧転写による表面化粧が施されて成り、この水圧転写を行うにあたっては、水溶性フィルム上に転写インクを塗布して成る転写フィルムを水槽内の水面上に浮遊させ、その上方からエクステンションを押し付け、水圧によってエクステンションの開口部以外の面に転写インクを印刷するものであり、その際、前記転写フィルムに粘着性を与え、転写可能とする活性剤の可塑剤成分としては、ＤＭＰ（フタル酸ジメチル）またはＤＥＰ（フタル酸ジエチル）を使用し、転写後主にこれらの可塑剤成分を蒸発させる揮散促進乾燥を行うものであり、
これにより表面化粧に起因するフォギングの状態をガラス霞度試験において１０％以下に抑えるようにしたことを特徴とする高温密閉雰囲気下で使用される部材に適した曲面印刷方法を適用したランプユニット。
【発明の詳細な説明】
【０００１】
【発明の属する技術分野】
本発明は、自動車のヘッドランプ等の内側に組み込まれ、高温且つ密閉された状態で使用されるエクステンション等を製造する技術として適切な、高温密閉雰囲気下で使用される部材に適した曲面印刷方法並びにこの方法を適用したランプユニットに関するものである。
【０００２】
【発明の背景】
自動車等のデザインの開発はあらゆる部位に及んでおり、最近ではヘッドランプ等の機能部品でさえも、そのランプユニット内部に装着されるエクステンションの細部にまで種々のデザイン処理が要求されている。このような要求に応えるにあたっては、その造型処理とともに、カラーリング処理も不可欠となるが、造型的に内部エクステンションが三次元立体形状の場合、そのカラーリング処理は比較的単調なものにとどまっていた。すなわちこのような三次元立体形状の場合には、スプレーコートによる塗色、真空蒸着によるメタルカラーの再現、素材そのものによる発色等に限られ、いわゆる模様構成はとられていない。しかしながらデザイン処理の要求が多岐にわたってくると、三次元立体形状に対しても複雑な模様構成をとることの要求が高まってきている。具体的には通常のヘッドランプとフォグランプ等とが一つのレンズで覆われるランプユニットにおいては、そのエクステンションにおけるヘッドランプ用の開口部とフォグランプ用の開口部との間に必然的に比較的広い面が形成されるため、付加価値や差別化を図る目的でこの面に模様を施したいという要求がある。
【０００３】
ところでこのような三次元立体形状に形成された部材への曲面印刷方法として水圧転写法がある。この加工方法は水溶性フィルム上に転写インクを塗布して成る転写フィルムを水槽内の水面上に浮遊させ、その上方からエクステンション等の被転写体を押し付け、水圧によって被転写体表面に転写インクを転写するというものである。なお転写フィルムは着水前あるいは着水後の転写以前の段階で活性剤が塗布され、粘着性が与えられ転写可能の状態となる。
【０００４】
一方、ヘッドランプ等を具えたランプユニットは内部でハロゲンバルブ等のバルブを点灯させて使用するため、点灯中ランプユニット内部は密閉され且つ高温になり、前記したようにランプユニット内部の部材に曲面印刷を施した場合には転写インクあるいは活性剤の一部が揮発し、ランプ内部に霞を発生させるいわゆるフォギングの発生という問題があった。もとよりランプは法令で決められた明るさいわゆる配光を有するように設計されているため、このようなフォギングの発生は配光性能を悪化させる原因でもあり、運転者の視界を狭くすることにもなる。
【０００５】
このフォギングすなわち霞の度合いはＩＳＯ−６４５２のガラス霞度試験に基づき、スガ試験機株式会社製直読ヘイズコンピュータを用いて判定値（ヘイズ値）を定めている。そしてこの試験の概略は密閉した器内で試験片を加熱し、その揮発分をガラス板に凝着させた後、概ねガラス板を透過する全光量に対し、ガラス板により散乱される光量の割合を霞度として測定するものである。そしてこの割合として前記直読ヘイズコンピュータの測定値１０％以内を判定値としているため、本明細書でもこの割合を１０％以内にすることをフォギングの発生を抑える意味として使っている。更にランプユニットの肉厚あるいは発光部空間の容積あるいは量産段階での個々の製品でのバラツキ等を考慮した場合には、５％以内とすることが望ましい。
【０００６】
そしてこのようなフォギングの発生を抑える方法として例えばエクステンションを透明な材質で仕切板状に形成し、発光部をレンズ側とリフレクタ側の二つの空間部に分け、エクステンション表面への印刷は実質的に発光部以外の部分に施すことが考えられる。しかしながらこのような手法ではエクステンションを仕切板状に設けることにより発光部空間を小さくすることになり、ランプユニットの耐熱上、不利であり、実際にかなりの高温となるヘッドランプ等では非現実的である。このため表面に印刷が施されたエクステンションを内部に組み込んだランプユニットは実用化までに至っていないのが実情であり、模様構成が要求される場合は専らランプユニットの表面部のみの印刷にとどまっていた。
【０００７】
【開発を試みた技術的課題】
本発明はこのような背景を認識してなされたものであり、ランプユニット内部のエクステンション等に種々の模様の曲面印刷がなされていてもフォギングの発生を抑えることができる高温密閉雰囲気下で使用される部材に適した新規な曲面印刷方法とこの方法を適用したランプユニットの開発を試みたものである。
【０００８】
【課題を解決するための手段】
すなわち請求項１記載の高温密閉雰囲気下で使用される部材に適した曲面印刷方法は、水溶性フィルム上に転写インクを塗布して成る転写フィルムを水槽内の水面上に浮遊させ、その上方から被転写体を押し付け、水圧によって被転写体表面に転写インクを印刷する方法において、前記転写フィルムに粘着性を与え、転写可能とする活性剤の可塑剤成分としてＤＭＰ（フタル酸ジメチル）またはＤＥＰ（フタル酸ジエチル）を使用し、転写後主にこれらの可塑剤成分を蒸発させる揮散促進乾燥を行うことを特徴として成るものである。
この発明によれば、活性剤の可塑剤成分としてＤＭＰ（フタル酸ジメチル）またはＤＥＰ（フタル酸ジエチル）を使用し、転写後揮散促進乾燥を行うため、例えばヘッドランプ内部等に装着される部材に印刷した際にはフォギングの発生を抑えることができ、このような高温密閉状態で使用される部材への印刷が可能となる。
【０００９】
また請求項２記載の高温密閉雰囲気下で使用される部材に適した曲面印刷方法を適用したランプユニットは、光源たるバルブと、バルブから照射された光の一部をカットするシェードと、バルブから発した光を反射させるリフレクタと、リフレクタの後方に配されるランプボディーと、ランプボディーの前全面を密閉状に覆うレンズと、レンズとランプボディーとの間に発光部の正面投影形状とほぼ同じ形状の開口部を有するエクステンションとを具えて成るランプユニットにおいて、
前記エクステンションには、水圧転写による表面化粧が施されて成り、この水圧転写を行うにあたっては、水溶性フィルム上に転写インクを塗布して成る転写フィルムを水槽内の水面上に浮遊させ、その上方からエクステンションを押し付け、水圧によってエクステンションの開口部以外の面に転写インクを印刷するものであり、その際、前記転写フィルムに粘着性を与え、転写可能とする活性剤の可塑剤成分としては、ＤＭＰ（フタル酸ジメチル）またはＤＥＰ（フタル酸ジエチル）を使用し、転写後主にこれらの可塑剤成分を蒸発させる揮散促進乾燥を行うものであり、
これにより表面化粧に起因するフォギングの状態をガラス霞度試験において１０％以下に抑えるようにしたことを特徴として成るものである。
この発明によれば、点灯中ランプユニット内部は高温密閉状態となるが、フォギングの発生を抑えることができる。更にランプユニット内部に種々の模様の印刷が施されたエクステンション等を装着できるため、ランプユニットの種類もより豊富となり、付加価値や差別化が図れる。
【００１０】
【発明の実施の形態】
以下本発明を図示の実施の形態に基づき説明する。なお以下の説明にあたっては、まず高温密閉雰囲気下で使用される部材に適した曲面印刷装置１について説明し、次いでこの装置の作動態様を説明しながら併せて本発明の曲面印刷方法について説明する。そしてその後、この方法により曲面印刷の施されたランプユニットＬ１について説明する。
【００１１】
高温密閉雰囲気下で使用される部材に適した曲面印刷装置１は実質的に水圧転写装置２により構成されるものであり、この水圧転写装置２は一例として図１に示すように水槽３と、転写フィルム供給装置４と、活性剤塗布装置５と被転写体搬送装置６と、水切乾燥装置７と、揮散促進乾燥装置８とを具えて成るものである。
【００１２】
水槽３は処理槽３ａとオーバーフロー槽３ｂとを具えて成り、この実施の形態では処理槽３ａ内に水Ｌが貯留されており、この処理槽３ａからオーバーフローした水Ｌはオーバーフロー槽３ｂを経た後、循環管路３１を通じてポンプ３２により水面に波立ちのない状態で処理槽３ａに緩やかに還流されるようになっている。なお転写フィルムＦの担持シートを膨潤ないし、または溶解し得るものであれば水Ｌに代えてその他の液体を用いてもよい。
【００１３】
更に水槽３の処理槽３ａ内には、処理槽３ａの左右両側壁の近傍にスプロケッットに巻装された一対のチェーンを配設してチェーンコンベヤ３３が構成されており、このチェーンコンベヤ３３は上方の水面循環側において転写フィルムＦがオーバーフロー槽３ｂ側に向けて進行するのを補助するように同じ向きに駆動されるものである。
【００１４】
転写フィルム供給装置４は、ロール巻きされた転写フィルムＦから成るフィルムロール４１と、このフィルムロール４１から引き出された転写フィルムＦを加熱するヒートロール４２と、転写フィルムＦに引出力を与える引出ロール４３とを具えて成るものである。なお引出ロール４３の上方側は活性剤塗布面を擦ることのないよう転写フィルムＦの両端のみに接触するものである。
【００１５】
また転写フィルムＦは、例えばゼラチン、アルギン酸ナトリウム、ポリビニルアルコール樹脂等から成る水溶性フィルムを担持シートとするものであり、この担持シートの一方の表面には塗布された転写インクによって適宜の模様（転写パターン）があらかじめ乾燥状態に塗着されたインク面Ｐが形成されている。
【００１６】
活性剤塗布装置５は、転写フィルム供給装置４のヒートロール４２と引出ロール４３との間に設置され、転写フィルムＦに所要の活性剤Ｋを塗布するローラコータ５１が設置されている。なおこの実施の形態では活性剤塗布装置５をヒートロール４２と引出ロール４３との間に設けたが、引出ロール４３の周辺に設け、転写フィルムＦが水槽３に供給される直前に上方から活性剤Ｋを塗布する形態や転写フィルムＦが水槽３に供給され、着水した後、上方から活性剤Ｋを塗布する形態もとり得る。
【００１７】
なお活性剤Ｋは、転写フィルムＦのインク面Ｐに塗布された乾燥状態の転写インクに粘着性を付与して転写可能の状態とするものであり、樹脂成分、溶剤成分、可塑剤成分、体質顔料等の混合物である。ここで溶剤成分は転写終了時までの粘着性を回復させるインク溶解を行い、樹脂成分は初期密着性を確保するとともにインクの拡散を防止し、可塑剤成分は樹脂成分に可塑性を付与し、体質顔料はインク表面の見掛け乾燥化を計るとともに、インクズレを規制しつつ、伸展性を与えるなど、各成分がそれぞれ機能を分担ないし補完して一つの活性剤Ｋを構成している。
【００１８】
被転写体搬送装置６は、コンベヤ６１に被転写体Ｗを把持するホルダ６２を有するもので、駆動モータ等によって転写フィルムＦの移送速度と対応して連続的に駆動される。そしてコンベヤ６１は側面から見て三角形状の搬送軌道を形成し、その下部において被転写体Ｗを一定時間水面に押し付け、模様が転写された後、再び引き上げるように構成されている。なおこの実施の形態では被転写体Ｗとして後述するランプユニットＬ１の内部に装着されるエクステンションＬ７が適用され、このものに転写されることになる。その後、被転写体Ｗはシャワーリングにより水溶性のフィルム成分が洗い落とされ、次いで圧空吹き付けにより大きな水滴が飛ばされた後、水切乾燥装置７に送られる。
【００１９】
水切乾燥装置７は、まだ表面が濡れている状態の被転写体Ｗを水切り程度に乾燥させるものであり、８０℃程度の温度下で１５分程度の乾燥が行われる。
揮散促進乾燥装置８は、活性剤Ｋに含まれる可塑剤成分等を蒸発させるためのものであり、１２０℃程度の温度下で３０〜６０分程度の乾燥が行われる。
【００２０】
なおこの実施の形態では、着水前に転写フィルムＦに活性剤Ｋを塗布し、この転写フィルムＦを水槽３に連続的に供給するとともに、被転写体Ｗを所定の入射角及び取出角をもって連続的に水中に浸漬させる三角コンベヤタイプの搬送手段を有する装置を示したが、着水後に活性剤Ｋを塗布するもの、転写フィルムＦを枚葉状のシートとして流動させることなく一枚毎浮かべてバッチ式に処理するもの、被転写体Ｗを垂直に浸漬させるもの等、種々の装置が適用できる。
【００２１】
次に装置の作動態様について説明しながら、併せて本発明の高温密閉雰囲気下で使用される部材に適した曲面印刷方法について説明する。まず転写フィルムＦがフィルムロール４１から引き出され、ヒートロール４２を経由した後、そのインク面Ｐにローラコータ５１により所要の活性剤Ｋが塗布される。この際、活性剤の可塑剤成分として従来はＤＢＰ（フタル酸ジブチル）が使用されてきたが、本発明においてはＤＭＰ（フタル酸ジメチル）またＤＥＰ（フタル酸ジエチル）が使用される。これは転写加工後のテストプレートを水切乾燥したものと、更に可塑剤成分等を飛ばす揮散促進乾燥したものとの霞度を比較した結果、ランプユニットＬ１のフォギングの大きな要因の一つとしてＤＢＰ（フタル酸ジブチル）が高温密閉下で蒸発することが考えられるためである。
【００２２】
そしてこのような可塑剤成分を含む活性剤Ｋがローラコータ５１によりインク面Ｐに塗布された後、転写フィルムＦは、引出ロール４３を経由して、そのインク面Ｐを上向きとした状態で水槽３内の水面上に移送される。この水槽３の水面上に達した転写フィルムＦは水面上で浮遊状態となり、水槽３の水Ｌによる膨潤を開始し、徐々に拡大する。また同時に転写フィルムＦは水槽３の水面における水流と水槽３内に設置されたチェーンコンベヤ３３により順次下流側に移送される。
【００２３】
一方、水槽３の上方からは被転写体搬送装置６により被転写体Ｗが転写フィルムＦの移送速度とほぼ同速で移送されながら上方から転写フィルムＦに押し付けられ、転写が行われる。その後、被転写体Ｗは被転写体搬送装置６により水槽３から引き上げられ、被転写体搬送装置６から取り外された後、シャワーリングにより水溶性のフィルム成分が洗い落とされ圧空吹き付けにより大きな水滴が飛ばされた後、水切乾燥装置７へ送られる。そして被転写体Ｗの表面の濡れが乾いた後、活性剤Ｋの可塑剤成分等を主に蒸発させる揮散促進乾燥装置８に送られ、その後、必要に応じてクリア塗料等にてトップコートされて曲面印刷が完了する。なおこの揮散促進乾燥は可塑剤成分のみならず、フォギングの他の要因とも考えられる溶剤成分等も蒸発させる。そして前記したＤＭＰ（フタル酸ジメチル）またはＤＥＰ（フタル酸ジエチル）を可塑剤として使用し、併せて揮散促進乾燥を行い、霞度試験を行った結果、良好であったため、本発明においてこれらを併用し、曲面印刷を行うものである。
【００２４】
すなわち従来常法の水圧転写を施したエクステンションを用いてランプユニットを組み立て、これを点灯試験してみたところ短時間でランプユニット内にフォギングが発生し、とても使用に耐えないことが判明した。そこでそのフォギングの原因としては、水圧転写により形成される転写インクを含んだ塗膜成分としか考えられないのであり、直観的には転写インクにまず疑いの目が向けられる。しかしながら種々の試験等を行い究明した結果、本出願人は転写インクではなく、一旦乾燥状態にあった転写インクを再び粘着化等する活性剤Ｋにその原因があるのではないかと予想し、また活性剤Ｋは単一成分品ではなく混合組成物であるため、活性剤Ｋ中に含まれる溶剤等の高沸点物質に疑いを抱き、ポリカーボネート製の試験片に対して本来必要とされるベースコートやトップコートをせずに水圧転写して、ガラス霞度試験を行ってみた。
【００２５】
まず従来常法の水圧転写を行った試験片のガラス霞度を測定したところ、４５％であった。次に活性剤Ｋに含まれているいずれかの高沸点物質を疑ったので、まず揮散促進乾燥（例えば１２０度×３０〜６０分程度）を行った後に、ガラス霞度を測定してみたところ、１２．３％と大きく改善されるのを知った。しかしこれでもヘイズ値１０％以下を達成することができなかったので、活性剤Ｋの組成成分に順次検討を加えてみたところ、溶剤に比べ可塑剤の方がはるかに高い沸点を有していることが判明した。このため次に可塑剤を従来のＤＢＰ（フタル酸ジブチル）でその添加量を１／２としたものと、ＤＢＰに代えて従来と同量だが、より沸点の低いＤＭＰ（フタル酸ジメチル）としたものについて同様に試験してみたところ、従来の可塑剤たるＤＢＰを従来量の１／２としたもののガラス霞度が２７％、ＤＭＰとしたものが３２．１％となり、可塑剤Ｋだけの変更でもヘイズ値の１０％以下をとても満足することができないことを知った。
【００２６】
そこでこれらに対して更に揮散促進乾燥を加えてみて試験したところ、ＤＢＰを従来量の１／２としたもののガラス霞度が２％、ＤＭＰとしたものが１％と急激に改善することができた。ところでこれらの試験は、ベースコートやトップコートをせずに水圧転写したポリカーボネート製の試験片での試験結果であったので、次に実製品と同様に下地色と付着性を確保するためのベースコートを施した試験片に対して水圧転写を行い、揮散促進乾燥後、表面物性と適度な艶を確保するためのトップコートを施した試験片について再びガラス霞度試験を試みた。因みにこのときベースコートやトップコートは、それぞれ単独ではガラス霞度５％以内を満たすものである。
【００２７】
すると今度はＤＢＰを従来量の１／２としたもののガラス霞度が９％、ＤＭＰとしたものが４．４％となり、可塑剤をＤＭＰに代え、なお且つ揮散促進乾燥した場合には更にガラス霞度５％以内に改善することができた。ここで従来のＤＢＰを従来量の１／２としたものが９％であったのは、多分、ＤＢＰがベースコート層に移行、残存し、これが後に揮発してきたからだと思われる。またＤＭＰに代えたものが４．４％に抑えられたのは、ベースコート層への移行がＤＢＰほどではなかったからだと思われる。つまり可塑剤の変更と揮散促進乾燥の採用との両者が、ガラス霞度を５％以下まで改善する手法と結論された。またその後、ＤＭＰに代えて物性的に非常に似かよっているＤＥＰ（フタル酸ジエチル）でも同様に行ってみたところ、ＤＥＰでもガラス霞度５％以内にすることができることを確認した。
【００２８】
なおこの実施の形態では水切乾燥と揮散促進乾燥の工程を分けているが、乾燥温度及び乾燥時間を調節することにより、一つの工程とすることも可能である。更にトップコートが施される場合には、このトップコート乾燥も含め、一つの乾燥工程とすることも可能である。
【００２９】
次にこのような方法により曲面印刷の施されたランプユニットＬ１について説明する。ランプユニットＬ１は、図３に示すように光を発する光源たるバルブＬ２と、バルブＬ２から照射された光の一部をカットするシェードＬ３と、バルブＬ２より発した光を反射させるリフレクタＬ４と、リフレクタＬ４の後方に配されるランプボディーＬ５と、ランプボディーＬ５の前全面を密閉状に覆うレンズＬ６と、レンズＬ６とランプボディーＬ５との間に組み込まれるエクステンションＬ７とを具えて成るものである。
【００３０】
バルブＬ２は、一例としてハロゲンバルブが用いられるが、白熱バルブ等が用いられても構わない。シェードＬ３はリフレクタＬ４とともに照射光を所定の配光パターンとするため適宜の形状に形成される。またリフレクタＬ４は一例としてポリカーボネート等の樹脂材料により成形されるが、鉄等の金属材料が使用されても構わない。またリフレクタＬ４は一例としてバルブＬ２から放射状に発せられた光を平行光線として反射するため断面形状が放物面となる回転放物面状に形成されており、内部表面にはこの反射をより効率良く行うためアルミニウム真空蒸着等、適宜の表面処理がなされている。
【００３１】
ランプボディーＬ５はリフレクタＬ４の後方に配され、リフレクタＬ４を支持するとともに前全面をレンズＬ６によりシール性を保った状態で覆われるものである。このためランプボディーＬ５はレンズＬ６とほぼ同じ正面投影形状を有するとともに、その外周はレンズＬ６を受け入れるように全周にわたりコの字状に形成される。なおランプボディー５ＬとレンズＬ６とは接着剤やクリップ等により固定されシール性が維持される。
【００３２】
レンズＬ６はランプユニットＬ１をフード状に覆うものであり、一例としてポリカーボネート等の樹脂材料により成形されるが、ガラス等の材料が使用されても構わない。またシェードＬ３及びリフレクタＬ４が照射光を所定の配光パターンに形成するため、レンズＬ６内面にレンズステップが形成されず、素通しレンズの形態をとっている。このためこの実施の形態では、レンズＬ６は専らランプユニットＬ１をカバーする作用を担うものであり、光を集光あるいは拡散させるものではないが、例えばレンズＬ６内面にレンズステップが形成され、光を拡散させるような形態であっても構わない。
【００３３】
エクステンションＬ７はリフレクタＬ４とレンズＬ６との間に組み込まれるものであり、その外周形状はレンズＬ６を正面から見た投影形状とほぼ同一に形成され、ランプユニットＬ１が実質的に光る発光部すなわちリフレクタＬ４の回転放物面の部分に開口部Ｌ７ａが形成されている。なお開口部Ｌ７ａは発光部の正面投影形状に合わせ適宜丸型、角型等に形成されるものである。そして図２に示すように例えば通常のヘッドランプとフォグランプとが一つのレンズＬ６で覆われるランプユニットＬ１においては、そのエクステンションＬ７における開口部Ｌ７ａがヘッドランプ用のものとフォグランプ用のものとの二つが形成され、二つの開口部Ｌ７ａの間には必然的に比較的広い面が形成される。このためこの面に付加価値や差別化を図る目的で前記した高温密閉雰囲気下で使用される部材に適した曲面印刷方法により適宜の模様が施される。またこのため点灯中のフォギングの発生を抑えながらもレンズＬ６を通して外部から見える際には車体との外観にマッチするように形成されるのである。
【００３４】
なおエクステンションＬ７がこのように開口部Ｌ７ａを二つ有する場合、二つとも上述した通常のヘッドランプの構成をとることも可能であるし、図２に併せて示すように通常のヘッドランプ用の大きな開口部Ｌ７ａとフォグランプ用の小さな開口部Ｌ７ａとの二つを有する場合には、フォグランプ用としてプロジェクタランプユニットＬ１０を適用することも可能である。このプロジェクタランプユニットＬ１０は、図４に示すようにバルブＬ２と、シェードＬ３と、楕円リフレクタＬ１４と、集光レンズＬ１６とを具え、これらを一体的に形成して成るものである。楕円リフレクタＬ１４は楕円放物面で形成されており、照射光をほぼ一点（焦点）に集約させるものであり、集光レンズＬ１６はシェードＬ３により適宜の配光パターンにされた集約光を拡散するものである。またこのような形態をとる場合には、図４に併せて示すようにエクステンションＬ７はプロジェクタランプユニットＬ１０の外周に位置し、プロジェクタランプユニットＬ１０を支持するように構成される。
【００３５】
なお図３で図示したエクステンションＬ７が専らデザインを施すことを目的として設けられるのに対し、図４に図示するエクステンションＬ７はプロジェクタランプユニットＬ１０の取付フレームとしての機能をも持ち合わせながら付加価値を付けるためデザインを施すものである。そしてこのようなプロジェクタランプユニットＬ１０を二つ組み込んでランプユニットＬ１を構成する形態をも可能であるし、この種の他の汎用ユニットとしてリフレクタＬ４、レンズＬ６及びフィラメントまでを一体形成したシールドビーム型あるいはリフレクタＬ４とレンズＬ６とを一体としたセミシールドビーム型等、種々のタイプの汎用ユニットが適用可能である。更にまた図示したエクステンションＬ７は通常のヘッドランプ用の大きな開口部Ｌ７ａとフォグランプ用の小さな開口部Ｌ７ａとを有する四灯式のものであるが、一つのエクステンションＬ７に一つの開口部Ｌ７ａを有する二灯式のものであっても構わない。またエクステンションＬ７はヘッドランプの機能を有するランプユニットＬ１に適用する形態だけでなく、クリアランスランプ等、種々の機能を有するランプユニットに適用されるものである。
【００３６】
【発明の効果】
請求項１記載の高温密閉雰囲気下で使用される部材に適した曲面印刷方法によれば、従来不可能であった高温且つ密閉状態で使用される部材への曲面印刷が可能となり、例えばランプユニットＬ１内部に装着されるエクステンションＬ７に印刷した際には、フォギングの発生を抑えることができる。
【００３７】
また請求項２記載の高温密閉雰囲気下で使用される部材に適した曲面印刷方法を適用したランプユニットによれば、内部に適宜の模様を施したエクステンションＬ７等を装着できるため、ランプユニットＬ１の種類がより豊富となり差別化が図れる。
【図面の簡単な説明】
【図１】  本発明の高温密閉雰囲気下で使用される部材に適した曲面印刷方法を骨格的に示す説明図である。
【図２】  本発明のランプユニットを示す分解斜視図である。
【図３】  ヘッドランプ用の開口部を示す縦断側面図である。
【図４】  フォグランプ用の開口部を示す縦断側面図である。
【符号の説明】
１      曲面印刷装置
２      水圧転写装置
３      水槽
３ａ    処理槽
３ｂ    オーバーフロー槽
４      転写フィルム供給装置
５      活性剤塗布装置
６      被転写体搬送装置
７      水切乾燥装置
８      揮散促進乾燥装置
３１    循環管路
３２    ポンプ
３３    チェーンコンベヤ
４１    フィルムロール
４２    ヒートロール
４３    引出ロール
５１    ローラコータ
６１    コンベヤ
６２    ホルダ
Ｆ      転写フィルム
Ｋ      活性剤
Ｌ      水
Ｌ１    ランプユニット
Ｌ２    バルブ
Ｌ３    シェード
Ｌ４    リフレクタ
Ｌ５    ランプボディー
Ｌ６    レンズ
Ｌ７    エクステンション
Ｌ７ａ  開口部
Ｌ１０  プロジェクタランプユニット
Ｌ１４  楕円リフレクタ
Ｌ１６  集光レンズ
Ｐ      インク面
Ｗ      被転写体
【図１】
0003858163.tif 000002
【図２】
0003858163.tif 000003
【図３】
0003858163.tif 000004
【図４】
0003858163.tif 000005